(57)【要約】  本発明は、事項内容表示方法、装置、プログラム、及び記録媒体を開示し、コンピュータの技術分野に属する。前記事項内容表示方法は、端末のスクリーンロックインタフェースを表示する場合、前記端末の現在の地理的位置を取得するステップと、前記現在の地理的位置が提示事項の表示範囲内にあるか否かを検出するステップと、前記現在の地理的位置が前記提示事項の表示範囲内にあれば、前記スクリーンロックインタフェースに前記提示事項の事項内容を表示するステップと、を含む。端末のスクリーンロックインタフェースを表示する場合、端末の現在のアドレス位置がある提示事項の表示範囲内にあれば、該スクリーンロックインタフェースに該提示事項の事項内容を表示し、関連技術において提示時間だけによって事項提示を行う場合に一定の局限性を有するという問題を解決し、設定された表示範囲内に有効に提示を行うとともに、提示頻度を高めるという効果を達成することができる。【選択図】        図１
2017504915.tif 000002
【特許請求の範囲】
【請求項１】
端末のスクリーンロックインタフェースを表示する場合、前記端末の現在の地理的位置を取得するステップと、
前記現在の地理的位置が提示事項の表示範囲内にあるか否かを検出するステップと、
前記現在の地理的位置が前記提示事項の表示範囲内にあれば、前記スクリーンロックインタフェースに前記提示事項の事項内容を表示するステップと、
を含むことを特徴とする事項内容表示方法。
【請求項２】
前記提示事項を設定する場合、前記端末の地理的位置を取得するステップと、
設定され前記地理的位置を含む設定範囲を取得するステップと、
前記設定範囲を前記提示事項の前記表示範囲として確定するステップと、
をさらに含むことを特徴とする請求項１に記載の方法。
【請求項３】
前記提示事項を設定する場合、前記表示範囲に対応する提示範囲を設定する場合に入力された距離を受信して、前記提示範囲を取得するステップと、
前記提示範囲を前記提示事項に付加するステップと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい、
ことを特徴とする請求項１に記載の方法。
【請求項４】
前記現在の地理的位置が前記提示事項の表示範囲内になければ、前記現在の地理的位置が前記提示事項の前記提示範囲内にあるか否かを検出するステップと、
前記現在の地理的位置が前記提示事項の前記提示範囲内にあると検出した場合、所定の提示方式で前記提示事項を提示するステップと、
をさらに含むことを特徴とする請求項３に記載の方法。
【請求項５】
前記所定の提示方式で前記提示事項を提示するステップは、
前記端末の環境光線強度を取得するステップと、
前記環境光線強度が所定の光線閾値よりも大きければ、前記端末のスクリーンをオンにし、前記スクリーンに前記提示事項における提示内容を提示する提示ボックスがポップアップするステップと、
前記環境光線強度が前記所定の光線閾値よりも小さければ、振動の方式又はベル音の方式で前記提示事項を提示するステップと、
を含むことを特徴とする請求項４に記載の方法。
【請求項６】
前記所定の提示方式で前記提示事項を提示した後、前記提示事項の前記提示範囲内の提示属性を、再度提示しないように補正するステップ、をさらに含むことを特徴とする請求項４に記載の方法。
【請求項７】
前記提示事項にはさらに提示期間が設定され、前記提示事項の事項内容を表示するステップは、
現在の時刻が前記提示期間内にあれば、前記提示事項の事項内容を表示するステップ、
を含むことを特徴とする請求項１〜６のいずれか１項に記載の方法。
【請求項８】
端末のスクリーンロックインタフェースを表示する場合、前記端末の現在の地理的位置を取得するように構成される第１の取得モジュールと、
前記第１の取得モジュールで取得された前記現在の地理的位置が提示事項の表示範囲内にあるか否かを検出するように構成される第１の検出モジュールと、
前記第１の検出モジュールで前記現在の地理的位置が前記提示事項の表示範囲内にあると検出された場合、前記スクリーンロックインタフェースに前記提示事項の事項内容を表示するように構成される表示モジュールと、
を含むことを特徴とする事項内容表示装置。
【請求項９】
前記提示事項を設定する場合、前記端末の地理的位置を取得するように構成される第２の取得モジュールと、
設定され前記第２の取得モジュールで取得された前記地理的位置を含む設定範囲を取得するように構成される第３の取得モジュールと、
前記第３の取得モジュールで取得された前記設定範囲を前記提示事項の前記表示範囲として確定するように構成される確定モジュールと、
をさらに含むことを特徴とする請求項８に記載の装置。
【請求項１０】
前記提示事項を設定する場合、前記表示範囲に対応する提示範囲を設定する場合に入力された距離を受信して、前記提示範囲を取得するように構成される受信モジュールと、
前記提示範囲を前記提示事項に付加するように構成される付加モジュールと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい、
ことを特徴とする請求項８に記載の装置。
【請求項１１】
前記第１の検出モジュールで前記第１の取得モジュールで取得された前記現在の地理的位置が前記提示事項の表示範囲内にないと検出された場合、前記現在の地理的位置が前記提示事項の前記提示範囲内にあるか否かを検出するように構成される第２の検出モジュールと、
前記第２の検出モジュールで前記現在の地理的位置が前記提示事項の前記提示範囲内にあると検出された場合、所定の提示方式で前記提示事項を提示するように構成される提示モジュールと、
をさらに含むことを特徴とする請求項１０に記載の装置。
【請求項１２】
前記提示モジュールは、
前記端末の環境光線強度を取得するように構成される取得サブモジュールと、
前記取得サブモジュールで取得された前記環境光線強度が所定の光線閾値よりも大きければ、前記端末のスクリーンをオンにし、前記スクリーンに前記提示事項における提示内容を提示する提示ボックスがポップアップするように構成されるポップアップサブモジュールと、
前記取得サブモジュールで取得された前記環境光線強度が前記所定の光線閾値よりも小さければ、振動の方式又はベル音の方式で前記提示事項を提示するように構成される提示サブモジュールと、
を含むことを特徴とする請求項１１に記載の装置。
【請求項１３】
前記提示モジュールが前記所定の提示方式で前記提示事項を提示した後、前記提示事項の前記提示範囲内の提示属性を、再度提示しないように補正するように構成される補正モジュール、
をさらに含むことを特徴とする請求項１１に記載の装置。
【請求項１４】
前記提示事項にはさらに提示期間が設定され、前記表示モジュールは、さらに、
現在の時刻が前記提示期間内にあれば、前記提示事項の事項内容を表示するように構成される、
ことを特徴とする請求項８〜１３のいずれか１項に記載の装置。
【請求項１５】
プロセッサと、
前記プロセッサが実行可能な命令を記憶するメモリと、を含み、
前記プロセッサは、
端末のスクリーンロックインタフェースを表示する場合、前記端末の現在の地理的位置を取得し、
前記現在の地理的位置が提示事項の表示範囲内にあるか否かを検出し、
前記現在の地理的位置が前記提示事項の表示範囲内にあれば、前記スクリーンロックインタフェースに前記提示事項の事項内容を表示するように構成される、
ことを特徴とする事項内容表示装置。
【発明の詳細な説明】
【技術分野】
【０００１】
本願は、出願番号がＣＮ２０１４１０６０２０９７.３で、出願日が２０１４年１０月３１日である中国特許出願に基づき優先権を主張し、当該中国特許出願のすべての内容を本願に援用する。
【０００２】
本発明は、コンピュータの技術分野に関し、特に事項内容表示方法及び装置に関する。
【背景技術】
【０００３】
端末の応用の普及に伴い、ユーザは、通常、端末を身に付けて携帯するため、便利に端末を用いて事項の提示を行うことができる。
【０００４】
端末を用いて事項提示を行う場合、ユーザは、端末での事項記録において提示事項を記録するとともに、提示事項の提示時間を設定することができ、該提示時間に達した場合、端末は、ベル音又は振動の方式で該提示事項の提示を行う。
【発明の概要】
【発明が解決しようとする課題】
【０００５】
発明者は、本発明を実現する過程において、関連技術に少なくとも以下の欠陥が存在していると発見した。提示時間だけによって事項提示を行う場合に、一定の局限性を有する。例えば、設定された提示事項は朝８時に新聞を買うことであるが、朝８時に該事項提示を行う場合、ユーザは、新聞を買う位置から遠く離れることがあるので、このような提示は一定の局限性を有する。
【課題を解決するための手段】
【０００６】
関連技術において提示時間だけによって事項提示を行う場合に、一定の局限性を有するという問題を解決するために、本発明は、以下のような事項内容表示方法及び装置を提供する。
【０００７】
本発明の実施例の第１の形態によれば、
端末のスクリーンロックインタフェースを表示する場合、前記端末の現在の地理的位置を取得するステップと、
前記現在の地理的位置が提示事項の表示範囲内にあるか否かを検出するステップと、
前記現在の地理的位置が前記提示事項の表示範囲内にあれば、前記スクリーンロックインタフェースに前記提示事項の事項内容を表示するステップと、を含む事項内容表示方法を提供する。
【０００８】
好ましくは、前記方法は、
前記提示事項を設定する場合、前記端末の地理的位置を取得するステップと、
設定され前記地理的位置を含む設定範囲を取得するステップと、
前記設定範囲を前記提示事項の前記表示範囲として確定するステップと、をさらに含む。
【０００９】
好ましくは、前記方法は、
前記提示事項を設定する場合、前記表示範囲に対応する提示範囲を設定する場合に入力された距離を受信して、前記提示範囲を取得するステップと、
前記提示範囲を前記提示事項に付加するステップと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい。
【００１０】
好ましくは、前記方法は、
前記現在の地理的位置が前記提示事項の表示範囲内になければ、前記現在の地理的位置が前記提示事項の前記提示範囲内にあるか否かを検出するステップと、
前記現在の地理的位置が前記提示事項の前記提示範囲内にあると検出した場合、所定の提示方式で前記提示事項を提示するステップと、をさらに含む。
【００１１】
好ましくは、前記所定の提示方式で前記提示事項を提示するステップは、
前記端末の環境光線強度を取得するステップと、
前記環境光線強度が所定の光線閾値よりも大きければ、前記端末のスクリーンをオンにし、前記スクリーンに前記提示事項における提示内容を提示する提示ボックスがポップアップするステップと、
前記環境光線強度が前記所定の光線閾値よりも小さければ、振動の方式又はベル音の方式で前記提示事項を提示するステップと、を含む。
【００１２】
好ましくは、前記方法は、
前記所定の提示方式で前記提示事項を提示した後、前記提示事項の前記提示範囲内の提示属性を、再度提示しないように補正するステップをさらに含む。
【００１３】
好ましくは、前記提示事項にはさらに提示期間が設定され、前記提示事項の事項内容を表示するステップは、
現在の時刻が前記提示期間内にあれば、前記提示事項の事項内容を表示するステップを含む。
【００１４】
本発明の実施例の第２の形態によれば、
端末のスクリーンロックインタフェースを表示する場合、前記端末の現在の地理的位置を取得するように構成される第１の取得モジュールと、
前記第１の取得モジュールで取得された前記現在の地理的位置が提示事項の表示範囲内にあるか否かを検出するように構成される第１の検出モジュールと、
前記第１の検出モジュールで前記現在の地理的位置が前記提示事項の表示範囲内にあると検出された場合、前記スクリーンロックインタフェースに前記提示事項の事項内容を表示するように構成される表示モジュールと、を含む事項内容表示装置を提供する。
【００１５】
好ましくは、前記装置は、
前記提示事項を設定する場合、前記端末の地理的位置を取得するように構成される第２の取得モジュールと、
設定され前記第２の取得モジュールで取得された前記地理的位置を含む設定範囲を取得するように構成される第３の取得モジュールと、
前記第３の取得モジュールで取得された前記設定範囲を前記提示事項の前記表示範囲として確定するように構成される確定モジュールと、をさらに含む。
【００１６】
好ましくは、前記装置は、
前記提示事項を設定する場合、前記表示範囲に対応する提示範囲を設定する場合に入力された距離を受信して、前記提示範囲を取得するように構成される受信モジュールと、
前記提示範囲を前記提示事項に付加するように構成される付加モジュールと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい。
【００１７】
好ましくは、前記装置は、
前記第１の検出モジュールで前記第１の取得モジュールで取得された前記現在の地理的位置が前記提示事項の表示範囲内にないと検出された場合、前記現在の地理的位置が前記提示事項の前記提示範囲内にあるか否かを検出するように構成される第２の検出モジュールと、
前記第２の検出モジュールで前記現在の地理的位置が前記提示事項の前記提示範囲内にあると検出された場合、所定の提示方式で前記提示事項を提示するように構成される提示モジュールと、をさらに含む。
【００１８】
好ましくは、前記提示モジュールは、
前記端末の環境光線強度を取得するように構成される取得サブモジュールと、
前記取得サブモジュールで取得された前記環境光線強度が所定の光線閾値よりも大きければ、前記端末のスクリーンをオンにし、前記スクリーンに前記提示事項における提示内容を提示する提示ボックスがポップアップするように構成されるポップアップサブモジュールと、
前記取得サブモジュールで取得された前記環境光線強度が前記所定の光線閾値よりも小さければ、振動の方式又はベル音の方式で前記提示事項を提示するように構成される提示サブモジュールと、を含む。
【００１９】
好ましくは、前記装置は、
前記提示モジュールが前記所定の提示方式で前記提示事項を提示した後、前記提示事項の前記提示範囲内の提示属性を、再度提示しないように補正するように構成される補正モジュールをさらに含む。
【００２０】
好ましくは、前記提示事項にはさらに提示期間が設定され、前記表示モジュールは、さらに、
現在の時刻が前記提示期間内にあれば、前記提示事項の事項内容を表示するように構成される。
【００２１】
本発明の実施例の第３の形態によれば、
プロセッサと、
前記プロセッサが実行可能な命令を記憶するメモリと、を含み、
前記プロセッサは、
端末のスクリーンロックインタフェースを表示する場合、前記端末の現在の地理的位置を取得し、
前記現在の地理的位置が提示事項の表示範囲内にあるか否かを検出し、
前記現在の地理的位置が前記提示事項の表示範囲内にあれば、前記スクリーンロックインタフェースに前記提示事項の事項内容を表示する、ように構成される事項内容表示装置を提供する。
【００２２】
本発明の実施例により提供される技術手段は、以下の有益な効果を含むことができる。
【００２３】
端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００２４】
以上の一般的な説明及び後述の詳細な説明は、例示的なものに過ぎず、本発明を限定するものではないことを理解すべきである。
【図面の簡単な説明】
【００２５】
ここで、図面は明細書に組み込んで本明細書の一部とし、本発明に合致する実施例を示すとともに、明細書とともに本発明の原理を説明する。
【図１】一つの例示的実施例に示される事項内容表示方法のフローチャートである。
【図２Ａ】他の例示的実施例に示される事項内容表示方法のフローチャートである。
【図２Ｂ】一つの例示的実施例に示されるスクリーンロック情報における提示事項の設定インタフェースの概略図である。
【図２Ｃ】一つの例示的実施例に示される提示範囲を設定する概略図である。
【図２Ｄ】一つの例示的実施例に示されるスクリーンロックインタフェースに提示内容を表示する概略図である。
【図２Ｅ】他の例示的実施例に示されるスクリーンロックインタフェースに提示内容を表示する概略図である。
【図３】一つの例示的実施例に示される事項内容表示装置のブロック図である。
【図４】他の例示的実施例に示される事項内容表示装置のブロック図である。
【図５】一つの例示的実施例に示される事項内容表示装置のブロック図である。
【発明を実施するための形態】
【００２６】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２７】
図１は、一つの例示的実施例に示される事項内容表示方法のフローチャートであり、図１に示すように、該事項内容表示方法は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示方法は以下のステップを含む。
【００２８】
ステップ１０１では、端末のスクリーンロックインタフェースを表示する場合、端末の現在の地理的位置を取得する。
【００２９】
スクリーンロックインタフェースは、スクリーンがオンにされたがスクリーンロック状態にある場合に表示されるインタフェースであり、スクリーンロックインタフェースには、端末は、ロックを解除した後にのみ、端末のメインインタフェースに入ることができる。
【００３０】
ステップ１０２では、現在の地理的位置が提示事項の表示範囲内にあるか否かを検出する。
【００３１】
提示事項の表示範囲は、該提示事項の表示内容を表示する位置を限定し、即ち、端末は、提示事項の設定された表示範囲内にある場合にのみ、スクリーンロックインタフェースに該提示事項の事項内容を表示することができる。
【００３２】
ステップ１０３では、現在の地理的位置が提示事項の表示範囲内にあれば、スクリーンロックインタフェースに提示事項の事項内容を表示する。
【００３３】
以上をまとめると、本発明の実施例に係る事項内容表示方法は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００３４】
図２Ａは、他の例示的実施例に示される事項内容表示方法のフローチャートであり、図２Ａに示すように、該事項内容表示方法は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示方法は以下のステップを含む。
【００３５】
ステップ２０１では、提示事項を設定する場合、端末の地理的位置を取得する。
【００３６】
通常、端末にはスクリーンロック機能が設定され、スクリーンがオンにされた後、スクリーンにスクリーンロックインタフェースを表示することができる。スクリーンロックインタフェースは、スクリーンがオンにされたがスクリーンロック状態にある場合に表示されるインタフェースであり、スクリーンロックインタフェースには、端末は、ロックを解除した後にのみ端末のメインインタフェースに入ることができる。
【００３７】
実際の利用の場合に、ユーザは頻繁にスクリーンロックインタフェースを見ることがあり、例えば、端末が待機した後、ユーザは端末で時間を見ようとする場合、端末の電源キーを押すことができ、この場合に端末のスクリーンがオンにされてスクリーンロックインタフェースを表示することができるため、スクリーンロックインタフェースはユーザにより見られる頻度が高く、スクリーンロックインタフェースを用いて事項の提示を行えば、提示の頻度を大きく高め、ユーザは提示回数が少ないため重要な事項を取り逃がすことを避ける。
【００３８】
そのため、本実施例では、スクリーンロックインタフェースを用いて事項提示を行うことができる。提示事項を設定する場合、スクリーンロック機能インタフェースにスクリーンロック情報の設定及び提示メニュー項目を設定して、ユーザは、該メニュー項目に対応する設定手段においてスクリーンロック情報及び提示事項をカスタマイズすることができる。
【００３９】
設定された提示事項の提示時にユーザが提示内容を実施することを有効に保証するために、提示事項を設定する場合、提示内容のために一つの地理的位置範囲を設定することができ、該地理的位置範囲は、通常、ユーザが提示内容を実施する位置に近く、例えば、設定された提示事項は、ユーザの家のドアの箇所（即ち設定された一つの範囲）で、ユーザが鍵を取る（設定された提示内容）ように提示することであり、ユーザは出かける場合に、通常、屋内又は家のドアの近傍に鍵を取るため、ユーザが鍵を取る動作を実施する場合の位置がユーザのドアの位置に比較的に近くなることにより、ユーザが比較的に近い距離で対応する事項を完了するように提示し、ユーザの使用体験を向上させる。
【００４０】
そのため、提示事項における範囲を設定する場合、まず端末が所在する地理的位置を取得することができる。好ましくは、端末が所在する地理的位置は、端末に設置されたＧＰＳ（Ｇｌｏｂａｌ  Ｐｏｓｉｔｉｏｎｉｎｇ  Ｓｙｓｔｅｍ：全地球測位システム）で取得することができる。
【００４１】
実際の利用では、ユーザは、端末のスクリーンロック設定において、「カスタマイズスクリーンロック情報」のメニュー項目をクリックし、端末が、対応する「スクリーンロック情報の設定及び提示手段」の設定インタフェースに入り、該設定インタフェースにおいて、提示事項を設定する入力ボックスを表示して、ユーザがカスタマイズ化の提示内容を入力するように提示することができる。同時に、端末のＧＰＳシステムをオンにして、ＧＰＳで取得された地図インタフェースを表示されたインタフェースにロードする。
【００４２】
図２Ｂは、一つの例示的実施例に示されるスクリーンロック情報における提示事項の設定インタフェースの概略図であり、図２Ｂに示すように、該設定インタフェース２０には、端末の地理的位置２１を含む地図を表示し、地図には、端末の地理的位置２１を顕著に表記し、それに対応して、該設定インタフェース２０に提示事項を設定する場合、ユーザは、提示内容入力ボックス２２にカスタマイズされた提示内容を入力することができる。
【００４３】
ステップ２０２では、設定され地理的位置を含む設定範囲を取得する。
【００４４】
通常、提示事項のために設定された提示用の範囲は、端末の地理的位置を含むことができる。
【００４５】
同様に図２Ｂに示すように、ユーザは範囲表記設定コントロール２３をクリックした後、該地理的位置２１の周囲に一つの閉鎖領域２４を画定することができ、該閉鎖領域２４は、該提示事項の表示範囲２４である。該閉鎖領域２４は、通常、該地理的位置２１を含み、即ち、表示範囲２４は、端末の地理的位置２１を含む。
【００４６】
補充説明すべきことは、該表示範囲のエッジで形成された形状は、円形、楕円形、矩形、三角形又は多辺形であり、本実施例では、表示範囲のエッジで形成された形状は具体的に限定されない。
【００４７】
ステップ２０３では、設定範囲を提示事項の表示範囲として確定する。
【００４８】
提示事項を設定する場合に画定された設定範囲を該提示事項の表示範囲として確定する。
【００４９】
ステップ２０４では、提示事項を設定する場合、表示範囲に対応する提示範囲を設定する場合に入力された距離を受信して、提示範囲を取得する。
【００５０】
実際の利用では、端末が表示範囲内にあれば、ユーザは、ずっと端末のスクリーンロックインタフェースを見ない場合があり、この場合、該表示範囲に対応する提示事項はずっと表示することができず、ユーザもずっと該提示事項を知ることができず、ユーザが該提示事項を取り逃がすことを避けるために、該提示事項に一つの提示範囲を設定することができ、端末が表示範囲外であって該提示範囲内にあれば、該提示事項を直接提示する。
【００５１】
好ましくは、提示事項を設定する場合、現在設定された表示範囲によって設定を行い、例えば、元の表示範囲からＮメートル離れて形成された範囲を提示範囲とすることができる。即ち、提示範囲の中心は表示範囲の中心と同一になることができ、提示範囲は表示範囲よりも大きくなることができ、表示範囲の中心点から発したいずれか一本の半直線の提示範囲のエッジ形状上の交点と表示範囲のエッジ形状上の交点との間の距離が受信された距離に等しい。即ち、提示範囲のエッジで形成された図形と表示範囲のエッジで形成された図形は、同心図形である。
【００５２】
例としては、表示範囲のエッジで形成された図形が円形である場合、提示範囲のエッジで形成された図形も円形であり、表示範囲のエッジで形成された円形と提示範囲のエッジで形成された円形は同心円であり、かつ表示範囲のエッジで形成された円形は、提示範囲のエッジで形成された円形よりも小さい。
【００５３】
さらに例としては、表示範囲のエッジで形成された図形が矩形である場合、提示範囲のエッジで形成された図形も矩形であり、表示範囲のエッジで形成された矩形と提示範囲のエッジで形成された矩形は同心矩形であり、かつ表示範囲のエッジで形成された矩形は、提示範囲のエッジで形成された矩形よりも小さい。
【００５４】
図２Ｃは、一つの例示的実施例に示される提示範囲を設定する概略図であり、図２Ｃに示すように、表示範囲２４が設定された場合、提示範囲の設定箇所で、表示範囲２４に対応する提示範囲２５を設定する場合に入力された距離を設定し、例えば図２Ｃに設定された５０メートルを設定して、該表示範囲２４に対応する提示範囲２５を取得することができ、図２Ｃにおける表示範囲２４と提示範囲２５は同心円であり、かつ提示範囲２５は表示範囲２４よりも大きく、提示範囲２５の半径は、表示範囲２４の半径よりも５０メートル大きくなる。
【００５５】
ステップ２０５では、提示範囲を提示事項に付加する。
【００５６】
設定された提示範囲を提示事項に付加し、これまで、該提示事項には、提示内容、表示範囲及び提示範囲が含まれている。
【００５７】
ステップ２０６では、端末のスクリーンロックインタフェースを表示する場合、端末の現在の地理的位置を取得する。
【００５８】
端末のスクリーンロックインタフェースを表示する場合、例えば、端末スクリーンがオフにされた状態で、端末の電源キーを押して、端末のスクリーンをオンにするとともに、オンにしたスクリーンにスクリーンロックインタフェースを表示し、この場合、該スクリーンロックインタフェースには対応する提示事項を表示するか否かを確定するために、まず端末の現在の地理的位置を取得する。
【００５９】
好ましくは、端末が現在の地理的位置を取得する場合、端末に設置されたＧＰＳで取得することができる。
【００６０】
ステップ２０７では、現在の地理的位置が提示事項の表示範囲内にあるか否かを検出する。
【００６１】
実際の利用では、実際の状況に応じて、表示範囲が対応して設定された複数の提示事項を設定し、利用時に、端末の現在の地理的位置を取得した後、該現在の地理的位置がある又は何らかの提示事項の表示範囲内にあるか否かを検出する。
【００６２】
ステップ２０８では、現在の地理的位置が提示事項の表示範囲内にあれば、スクリーンロックインタフェースに提示事項の事項内容を表示する。
【００６３】
現在の地理的位置がある提示事項の表示範囲内にあれば、表示すべきスクリーンロックインタフェースに該提示事項の事項内容を表示し、このようにすれば、ユーザは該スクリーンロックインタフェースを見る場合、対応する提示内容を知ることにより、関係事項を実施することができる。
【００６４】
例としては、図２Ｄは、一つの例示的実施例に示されるスクリーンロックインタフェースに提示内容を表示する概略図であり、図２Ｄに示すように、該スクリーンロックインタフェース２６には提示内容「鍵を忘れずにお持ちください」が表示されている。
【００６５】
好ましくは、スクリーンロックインタフェースに提示事項の事項内容を表示する場合、ユーザに第１のオプション及び第２のオプションを提供してもよく、第１のオプションが選択された後、端末のスクリーンロックインタフェースを再度表示する場合に該提示事項の事項内容を再度表示することを示し、第２のオプションが選択された後、端末のスクリーンロックインタフェースを再度表示する場合に該提示事項の事項内容を再度表示しないことを示す。
【００６６】
例としては、図２Ｅは、他の例示的実施例に示されるスクリーンロックインタフェースに提示内容を表示する概略図であり、図２Ｅに示すように、該スクリーンロックインタフェース２６に提示内容「鍵を忘れずにお持ちください」が表示されるとともに、ユーザが選択可能な第１のオプション２７と第２のオプション２８が表示され、第１のオプション２７が選択された後、スクリーンロックインタフェース２６を再度表示する場合に該提示事項の事項内容「鍵を忘れずにお持ちください」を再度表示することを示し、第２のオプション２８が選択された後、スクリーンロックインタフェース２６を再度表示する場合に該提示事項の事項内容「鍵を忘れずにお持ちください」を再度表示しないことを示す。また、該提示内容には、第３のオプション２９が設定されてもよく、該第３のオプションが選択された後、スクリーンロックインタフェース２６を再度表示する場合の提示設定を無視し、スクリーンロックインタフェース２６を再度表示する場合に依然として該提示事項の事項内容「鍵を忘れずにお持ちください」を再度表示することを示すと黙認する。好ましくは、第１のオプション２７、第２のオプション２８及び第３のオプション２９は、スクリーンロックインタフェース２６にカバーして表示されユーザがスクリーンロック状態に選択可能なコントロールであることができる。
【００６７】
補充説明すべきことは、ユーザがスクリーンロックインタフェースの設定メニュー項目に提示事項を設定する場合、スクリーンロックインタフェースでの提示方式を選択することができ、即ち提示事項の提示内容のみを表示する提示方式を選択してもよく、提示事項の提示内容及び第１のオプション、第２のオプションと第３のオプションを同時に表示する提示方式を選択してもよく、本実施例では、これについて具体的に限定されない。
【００６８】
ステップ２０９では、現在の地理的位置が提示事項の表示範囲内になければ、現在の地理的位置が提示事項の提示範囲内にあるか否かを検出する。
【００６９】
現在の地理的位置が提示事項の表示範囲内になければ、ユーザが該提示事項の提示内容を見ないことを避けるために、現在の地理的位置が提示事項の提示範囲内にあるか否かを引き続き検出することができる。
【００７０】
ステップ２１０では、現在の地理的位置が提示事項の提示範囲内にあると検出した場合、所定の提示方式で提示事項を提示する。
【００７１】
現在の地理的位置が提示事項の提示範囲内にあると検出した場合、所定の提示方式で提示事項を提示することができる。
【００７２】
好ましくは、現在の地理的位置が提示事項の提示範囲内にあると検出し、かつ提示範囲に対応する表示範囲内に提示事項が表示されていない場合、所定の提示方式で提示事項を提示することができる。即ち、ユーザが携帯している端末がある提示事項の表示範囲にある期間にスクリーンロックインタフェースを見なければ、この場合にユーザはスクリーンロックインタフェースに該提示事項に関する提示内容を見たことがなく、ユーザが該表示範囲から離れて該提示事項の提示範囲内（提示範囲内の表示範囲と重なり合わない領域）に到達する場合、ユーザが該提示事項を知ることができることを保証するために、所定の提示方式で提示事項を提示することができる。
【００７３】
好ましくは、端末が所定の提示方式で提示事項を提示することは、
第１、端末の環境光線強度を取得することと、
第２、環境光線強度が所定の光線閾値よりも大きければ、端末のスクリーンをオンにして、スクリーンに提示事項における提示内容を提示する提示ボックスがポップアップすることと、
第３、環境光線強度が所定の光線閾値よりも小さければ、振動の方式又はベル音の方式で提示事項を提示することと、を含む。
【００７４】
実際の利用では、ユーザが端末をポケット内又はバッグ内に置く場合、スクリーンが明るくなって該提示事項の提示内容を表示したとしても、ユーザは、通常、該提示内容を直接的に見るか又は知ることができないため、端末の環境光線強度で端末が所在する環境を区分するとともに、端末が所在する環境によって、異なる提示方式を選択して提示事項の提示内容を提示することができる。例えば、環境光線強度が所定の光線閾値よりも大きい場合、端末はユーザが直接的に見ることができる箇所にあり、バッグ内又はポケット内にないことを示し、この場合、端末のスクリーンをオンにして、スクリーンに提示事項における提示内容を提示する提示ボックスがポップアップすることができ、明らかに、スクリーンに提示事項における提示内容を直接表示してもよく、環境光線強度が該所定の光線閾値よりも小さい場合、端末がバッグ内又はポケット内にある可能性が大きいことを示し、この場合、振動の方式又はベル音の方式で提示事項を提示することにより、ユーザが有効で即時に提示事項を見ることを保証することができる。
【００７５】
以上をまとめると、本発明の実施例に係る事項内容表示方法は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００７６】
本発明の実施例に係る事項内容表示方法は、提示事項のために表示範囲と提示範囲を同時に設定し、端末が表示範囲外であって提示範囲内にあれば、提示を行うことにより、ユーザが表示範囲内にスクリーンロックインタフェースを見ないため提示事項を取り逃がす状況を有効に避けることができる。
【００７７】
本発明の実施例に係る事項内容表示方法は、端末の環境光線強度が所定の光線閾値よりも大きい場合、端末のスクリーンをオンにして、スクリーンに提示事項における提示内容を提示する提示ボックスがポップアップし、端末の環境光線強度が所定の光線閾値よりも小さい場合、振動の方式又はベル音の方式で提示事項を提示することにより、ユーザが端末をポケット内又はバッグ内に置く場合、表示された提示事項をユーザに有効に提示できないという問題を解決し、端末がポケット内又はバッグ内に置かれた場合にもユーザに関係提示事項を有効に提示できることを有効に保証できるという効果を達成することができる。
【００７８】
他の実現可能な形態では、ステップ２１０では所定の提示方式で提示事項を提示した後、提示事項の提示範囲内の提示属性を、再度提示しないように補正してもよい。即ち、提示範囲内にユーザに提示していれば、該提示範囲内に該提示事項を再度提示しない。一つの実現場面では、ユーザが設定した提示事項の表示範囲はユーザの屋内で、提示範囲は該ユーザの家が所在する団地であれば、ユーザが屋内に該提示事項を見ず、該ユーザが家から離れて提示範囲内（団地内であってユーザの家でない地域）に入る場合、提示を一回行い、通常、このような場合に、ユーザがすでに家から離れ、該提示事項が屋内の位置に係れば、一回のみ提示すればよく、それは、ユーザは屋内に返して該提示事項を実施する必要がない可能性があるからであり、この場合に頻繁な提示によりユーザを邪魔することを避けるために、提示事項の提示範囲内の提示属性を、再度提示しないように補正することができ、このようにすれば、端末が依然として提示範囲内にあるが、該提示事項を引き続き提示しない。しかし、ユーザが屋内にあり、かつ該提示事項が屋内の位置に係れば、この場合、頻繁に提示することにより、ユーザが屋内に該提示事項を実施することを取り逃がすという状況を避けることができる。
【００７９】
本発明の実施例に係る事項内容表示方法は、所定の提示方式で提示事項を提示した後、提示事項の提示範囲内の提示属性を、再度提示しないように補正してもよく、これにより、端末が表示範囲外であって提示範囲内にある場合にユーザに対する頻繁な提示によりユーザを邪魔することを避けることができる。
【００８０】
他の実現可能な形態では、提示事項には提示期間が設定されてもよく、端末が提示事項の事項内容を表示することは、現在の時刻が提示期間内にあれば、提示事項の事項内容を表示することを含んでもよい。例えば、端末が提示事項の事項内容を表示する場合、まず該提示事項の提示期間を取得し、現在の時刻が該提示期間内にあるか否かを検出することができ、現在の時刻が提示期間内にあれば、提示事項の事項内容を表示する。
【００８１】
提示事項を設定する場合、設定インタフェースは、提示期間を設定する設定インタフェースを提供することができ、同様に図２Ｂに示すように、図２Ｂでは、提示期間を設定するインタフェース２１００を表示し、ユーザは、該インタフェース２１００に該提示事項に対応する提示期間を設定することができる。
【００８２】
本発明の実施例に係る事項内容表示方法は、提示事項に提示期間を設定し、提示期間と表示範囲がいずれも提示事項の設定に合致する場合にのみ、スクリーンロックインタフェースに提示事項の事項内容を表示することにより、非提示期間内にもユーザに頻繁に提示することによる邪魔を避け、提示の正確度を高めるという効果がある。
【００８３】
以下、本発明の装置の実施例であって、本発明の方法を実行する実施例である。本発明の装置の実施例で開示しない詳細については、本発明の方法の実施例を参照する。
【００８４】
図３は、一つの例示的実施例に示される事項内容表示装置のブロック図であり、図３に示すように、該事項内容表示装置は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示装置は、第１の取得モジュール３０２、第１の検出モジュール３０４及び表示モジュール３０６を含むが、これらに限られない。
【００８５】
該第１の取得モジュール３０２は、端末のスクリーンロックインタフェースを表示する場合、端末の現在の地理的位置を取得するように構成される。
【００８６】
該第１の検出モジュール３０４は、第１の取得モジュール３０２で取得された現在の地理的位置が提示事項の表示範囲内にあるか否かを検出するように構成される。
【００８７】
該表示モジュール３０６は、第１の検出モジュール３０４が現在の地理的位置が提示事項の表示範囲内にあると検出した場合、スクリーンロックインタフェースに提示事項の事項内容を表示するように構成される。
【００８８】
以上をまとめると、本発明の実施例に係る事項内容表示装置は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００８９】
図４は、他の例示的実施例に示される事項内容表示装置のブロック図であり、図４に示すように、該事項内容表示装置は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示装置は、第１の取得モジュール４０２、第１の検出モジュール４０４及び表示モジュール４０６を含むが、これらに限られない。
【００９０】
該第１の取得モジュール４０２は、端末のスクリーンロックインタフェースを表示する場合、端末の現在の地理的位置を取得するように構成される。
【００９１】
該第１の検出モジュール４０４は、第１の取得モジュール４０２で取得された現在の地理的位置が提示事項の表示範囲内にあるか否かを検出するように構成される。
【００９２】
該表示モジュール４０６は、第１の検出モジュール４０４現在の地理的位置が提示事項の表示範囲内にあると検出した場合、スクリーンロックインタフェースに提示事項の事項内容を表示するように構成される。
【００９３】
一つの実現可能な形態では、該事項内容表示装置は、第２の取得モジュール４０８、第３の取得モジュール４１０及び確定モジュール４１２を含んでもよい。
【００９４】
第２の取得モジュール４０８は、提示事項を設定する場合、端末の地理的位置を取得するように構成される。
【００９５】
第３の取得モジュール４１０は、設定され第２の取得モジュール４０８で取得された地理的位置を含む設定範囲を取得するように構成される。
【００９６】
確定モジュール４１２は、第３の取得モジュール４１０で取得された設定範囲を提示事項の表示範囲として確定するように構成される。
【００９７】
一つの実現可能な形態では、該事項内容表示装置は、受信モジュール４１４及び付加モジュール４１６を含んでもよい。
【００９８】
受信モジュール４１４は、提示事項を設定する場合、表示範囲に対応する提示範囲を設定する場合に入力された距離を受信して、提示範囲を取得するように配置され、提示範囲の中心が表示範囲の中心と同一で、提示範囲が表示範囲よりも大きく、表示範囲の中心点から発したいずれか一本の半直線の提示範囲のエッジ形状上の交点と表示範囲のエッジ形状上の交点との間の距離が受信された距離に等しい。
【００９９】
付加モジュール４１６は、提示範囲を提示事項に付加するように構成される。
一つの実現可能な形態では、該事項内容表示装置は、第２の検出モジュール４１８及び提示モジュール４２０を含んでもよい。
【０１００】
第２の検出モジュール４１８は、第１の検出モジュール４０４が第１の取得モジュール４０２で取得された現在の地理的位置が提示事項の表示範囲内にないと検出した場合、現在の地理的位置が提示事項の提示範囲内にあるか否かを検出するように構成される。
【０１０１】
提示モジュール４２０は、第２の検出モジュール４１８が現在の地理的位置が提示事項の提示範囲内にあると検出した場合、所定の提示方式で提示事項を提示するように構成される。
【０１０２】
一つの実現可能な形態では、該提示モジュール４２０は、取得サブモジュール４２０ａ、ポップアップサブモジュール４２０ｂ及び提示サブモジュール４２０ｃを含むことができる。
【０１０３】
取得サブモジュール４２０ａは、端末の環境光線強度を取得するように構成される。
【０１０４】
ポップアップサブモジュール４２０ｂは、取得サブモジュール４２０ａで取得された環境光線強度が所定の光線閾値よりも大きい場合、端末のスクリーンをオンにして、スクリーンに提示事項における提示内容を提示する提示ボックスがポップアップするように構成される。
【０１０５】
提示サブモジュール４２０ｃは、取得サブモジュール４２０ａで取得された環境光線強度が所定の光線閾値よりも小さければ、振動の方式又はベル音の方式で提示事項を提示するように構成される。
【０１０６】
一つの実現可能な形態では、該事項内容表示装置は、補正モジュール４２２を含んでもよい。
【０１０７】
補正モジュール４２２は、提示モジュール４２０が所定の提示方式で提示事項を提示した後、提示事項の提示範囲内の提示属性を、再度提示しないように補正するように構成される。
【０１０８】
一つの実現可能な形態では、該提示事項には提示期間が設定され、表示モジュール４０６は、さらに、現在の時刻が提示期間内にあれば、提示事項の事項内容を表示するように構成される。
【０１０９】
以上をまとめると、本発明の実施例に係る事項内容表示装置は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【０１１０】
本発明の実施例に係る事項内容表示装置は、提示事項のために表示範囲と提示範囲を同時に設定し、端末が表示範囲外であって提示範囲内にあれば、提示を行うことにより、ユーザが表示範囲内にスクリーンロックインタフェースを見ないため提示事項を取り逃がす状況を有効に避けることができる。
【０１１１】
本発明の実施例に係る事項内容表示装置は、端末の環境光線強度が所定の光線閾値よりも大きい場合、端末のスクリーンをオンにして、スクリーンに提示事項における提示内容を提示する提示ボックスがポップアップし、端末の環境光線強度が所定の光線閾値よりも小さい場合、振動の方式又はベル音の方式で提示事項を提示することにより、ユーザが端末をポケット内又はバッグ内に置く場合、表示された提示事項をユーザに有効に提示できないという問題を解決し、端末がポケット内又はバッグ内に置かれた場合にもユーザに関係提示事項を有効に提示できることを有効に保証できるという効果を達成することができる。
【０１１２】
本発明の実施例に係る事項内容表示装置は、所定の提示方式で提示事項を提示した後、提示事項の提示範囲内の提示属性を、再度提示しないように補正してもよく、これにより、端末が表示範囲外であって提示範囲内にある場合にユーザに対する頻繁な提示によりユーザを邪魔することを避けることができる。
【０１１３】
本発明の実施例に係る事項内容表示装置は、提示事項に提示期間を設定し、提示期間と表示範囲がいずれも提示事項の設定に合致する場合にのみ、スクリーンロックインタフェースに提示事項の事項内容を表示することにより、非提示期間内にもユーザに頻繁に提示することによる邪魔を避け、提示の正確度を高めるという効果がある。
【０１１４】
上述の実施例に係る装置については、各モジュールが操作を実行する具体的な方式は、すでに該方法に関する実施例において詳しく説明しているので、ここで詳しく説明しない。
【０１１５】
本発明の一つの例示的実施例は、本発明に係る事項内容表示方法を実現できる事項内容表示装置を提供し、該事項内容表示装置は、プロセッサと、プロセッサが実行可能な命令を記憶するメモリとを含み、
プロセッサは、
端末のスクリーンロックインタフェースを表示する場合、端末の現在の地理的位置を取得し、
現在の地理的位置が提示事項の表示範囲内にあるか否かを検出し、
現在の地理的位置が提示事項の表示範囲内にあれば、スクリーンロックインタフェースに提示事項の事項内容を表示する、ように構成される。
【０１１６】
図５は、一つの例示的実施例に示される事項内容表示装置のブロック図である。例えば、装置５００は、携帯電話、コンピュータ、デジタル放送端末、メッセージ送受信機器、ゲームコンソール、タブレットデバイス、医療機器、フィットネス機器、パーソナルデジタルアシスタントなどであってもよい。
【０１１７】
図５に示すように、装置５００は、プロセスアセンブリ５０２、メモリ５０４、電源アセンブリ５０６、マルチメディアアセンブリ５０８、オーディオアセンブリ５１０、入力／出力（Ｉ／Ｏ）インタフェース５１２、センサアセンブリ５１４、および通信アセンブリ５１６のような１つ以上のアセンブリを含んでよい。
【０１１８】
プロセスアセンブリ５０２は、一般的には装置５００全体の操作を制御するものであり、例えば、表示、電話呼び出し、データ通信、カメラ操作、及び記録操作と関連する操作を制御する。プロセスアセンブリ５０２は、１つ以上のプロセッサ５１８を含み、これらによって指令を実行することにより、上記方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【０１１９】
メモリ５０４は、各種類のデータを記憶することにより装置５００の操作を支援するように構成される。これらのデータの例は、装置５００において操作されるいずれのアプリケーションプログラム又は方法の命令、連絡対象データ、電話帳データ、メッセージ、画像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２０】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【０１２１】
マルチメディアアセンブリ５０８は、前記装置５００とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンとして実現されることができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記実施例において、マルチメディアアセンブリ５０８は、一つのフロントカメラ、及び／又はリアカメラを含む。装置５００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２２】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の操作モードにある場合、マイクは外部のオーディオ信号を受信することができる。受信されたオーディオ信号は、さらにメモリ５０４に記憶されたり、通信アセンブリ５１６を介して送信されたりされる。上記実施例において、オーディオアセンブリ５１０は、オーディオ信号を出力するための一つのスピーカーをさらに含む。
【０１２３】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２４】
センサアセンブリ５１４は、装置５００に各方面の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ図像センサのような光センサを含んでもよい。上記実施例において、当該センサアセンブリ５１４は、加速度センサ、ジャイロスコープセンサ、磁気センサ、圧力センサ、及び温度センサをさらに含んでもよい。
【０１２５】
通信アセンブリ５１６は、装置５００と他の機器の間に有線、又は無線形態の通信を提供する。装置５００は、例えばＷｉＦｉ、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２６】
例示的な実施例において、装置５００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２７】
例示的な実施例では、さらに、指令を含むコンピュータ読み取り可能な非一時的な記憶媒体、例えば、指令を含むメモリ５０４を提供しており、装置５００のプロセッサ５１８により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１２８】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１２９】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【図１】
2017504915.tif 000003
【図２Ａ】
2017504915.tif 000004
【図２Ｂ】
2017504915.tif 000005
【図２Ｃ】
2017504915.tif 000006
【図２Ｄ】
2017504915.tif 000007
【図２Ｅ】
2017504915.tif 000008
【図３】
2017504915.tif 000009
【図４】
2017504915.tif 000010
【図５】
2017504915.tif 000011
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
端末のスクリーンロックインタフェースを表示する場合、前記端末の現在の地理的位置を取得するステップと、
前記現在の地理的位置が提示事項の表示範囲内にあるか否かを検出するステップと、
前記現在の地理的位置が前記提示事項の表示範囲内にあれば、前記スクリーンロックインタフェースに前記提示事項の事項内容を表示するステップと、
を含むことを特徴とする事項内容表示方法。
【請求項２】
前記提示事項を設定する場合、前記端末の地理的位置を取得するステップと、
設定され前記地理的位置を含む設定範囲を取得するステップと、
前記設定範囲を前記提示事項の前記表示範囲として確定するステップと、
をさらに含むことを特徴とする請求項１に記載の方法。
【請求項３】
前記提示事項を設定する場合、前記表示範囲に対応する提示範囲を設定する場合に入力された距離を受信して、前記提示範囲を取得するステップと、
前記提示範囲を前記提示事項に付加するステップと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい、
ことを特徴とする請求項１に記載の方法。
【請求項４】
前記現在の地理的位置が前記提示事項の表示範囲内になければ、前記現在の地理的位置が前記提示事項の前記提示範囲内にあるか否かを検出するステップと、
前記現在の地理的位置が前記提示事項の前記提示範囲内にあると検出した場合、所定の提示方式で前記提示事項を提示するステップと、
をさらに含むことを特徴とする請求項３に記載の方法。
【請求項５】
前記所定の提示方式で前記提示事項を提示するステップは、
前記端末の環境光線強度を取得するステップと、
前記環境光線強度が所定の光線閾値よりも大きければ、前記端末のスクリーンをオンにし、前記スクリーンに前記提示事項における提示内容を提示する提示ボックスがポップアップするステップと、
前記環境光線強度が前記所定の光線閾値よりも小さければ、振動の方式又はベル音の方式で前記提示事項を提示するステップと、
を含むことを特徴とする請求項４に記載の方法。
【請求項６】
前記所定の提示方式で前記提示事項を提示した後、前記提示事項の前記提示範囲内の提示属性を、再度提示しないように補正するステップ、をさらに含むことを特徴とする請求項４に記載の方法。
【請求項７】
前記提示事項にはさらに提示期間が設定され、前記提示事項の事項内容を表示するステップは、
現在の時刻が前記提示期間内にあれば、前記提示事項の事項内容を表示するステップ、
を含むことを特徴とする請求項１〜６のいずれか１項に記載の方法。
【請求項８】
端末のスクリーンロックインタフェースを表示する場合、前記端末の現在の地理的位置を取得するように構成される第１の取得モジュールと、
前記第１の取得モジュールで取得された前記現在の地理的位置が提示事項の表示範囲内にあるか否かを検出するように構成される第１の検出モジュールと、
前記第１の検出モジュールで前記現在の地理的位置が前記提示事項の表示範囲内にあると検出された場合、前記スクリーンロックインタフェースに前記提示事項の事項内容を表示するように構成される表示モジュールと、
を含むことを特徴とする事項内容表示装置。
【請求項９】
前記提示事項を設定する場合、前記端末の地理的位置を取得するように構成される第２の取得モジュールと、
設定され前記第２の取得モジュールで取得された前記地理的位置を含む設定範囲を取得するように構成される第３の取得モジュールと、
前記第３の取得モジュールで取得された前記設定範囲を前記提示事項の前記表示範囲として確定するように構成される確定モジュールと、
をさらに含むことを特徴とする請求項８に記載の装置。
【請求項１０】
前記提示事項を設定する場合、前記表示範囲に対応する提示範囲を設定する場合に入力された距離を受信して、前記提示範囲を取得するように構成される受信モジュールと、
前記提示範囲を前記提示事項に付加するように構成される付加モジュールと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい、
ことを特徴とする請求項８に記載の装置。
【請求項１１】
前記第１の検出モジュールで前記第１の取得モジュールで取得された前記現在の地理的位置が前記提示事項の表示範囲内にないと検出された場合、前記現在の地理的位置が前記提示事項の前記提示範囲内にあるか否かを検出するように構成される第２の検出モジュールと、
前記第２の検出モジュールで前記現在の地理的位置が前記提示事項の前記提示範囲内にあると検出された場合、所定の提示方式で前記提示事項を提示するように構成される提示モジュールと、
をさらに含むことを特徴とする請求項１０に記載の装置。
【請求項１２】
前記提示モジュールは、
前記端末の環境光線強度を取得するように構成される取得サブモジュールと、
前記取得サブモジュールで取得された前記環境光線強度が所定の光線閾値よりも大きければ、前記端末のスクリーンをオンにし、前記スクリーンに前記提示事項における提示内容を提示する提示ボックスがポップアップするように構成されるポップアップサブモジュールと、
前記取得サブモジュールで取得された前記環境光線強度が前記所定の光線閾値よりも小さければ、振動の方式又はベル音の方式で前記提示事項を提示するように構成される提示サブモジュールと、
を含むことを特徴とする請求項１１に記載の装置。
【請求項１３】
前記提示モジュールが前記所定の提示方式で前記提示事項を提示した後、前記提示事項の前記提示範囲内の提示属性を、再度提示しないように補正するように構成される補正モジュール、
をさらに含むことを特徴とする請求項１１に記載の装置。
【請求項１４】
前記提示事項にはさらに提示期間が設定され、前記表示モジュールは、さらに、
現在の時刻が前記提示期間内にあれば、前記提示事項の事項内容を表示するように構成される、
ことを特徴とする請求項８〜１３のいずれか１項に記載の装置。
【請求項１５】
プロセッサと、
前記プロセッサが実行可能な命令を記憶するメモリと、を含み、
前記プロセッサは、
端末のスクリーンロックインタフェースを表示する場合、前記端末の現在の地理的位置を取得し、
前記現在の地理的位置が提示事項の表示範囲内にあるか否かを検出し、
前記現在の地理的位置が前記提示事項の表示範囲内にあれば、前記スクリーンロックインタフェースに前記提示事項の事項内容を表示するように構成される、
ことを特徴とする事項内容表示装置。
【請求項１６】
プロセッサに実行されることにより、請求項１から請求項７のいずれかに記載の事項内容表示方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０６０２０９７.３で、出願日が２０１４年１０月３１日である中国特許出願に基づき優先権を主張し、当該中国特許出願のすべての内容を本願に援用する。
【０００２】
本発明は、コンピュータの技術分野に関し、特に事項内容表示方法、装置、プログラム、及び記録媒体に関する。
【背景技術】
【０００３】
端末の応用の普及に伴い、ユーザは、通常、端末を身に付けて携帯するため、便利に端末を用いて事項の提示を行うことができる。
【０００４】
端末を用いて事項提示を行う場合、ユーザは、端末での事項記録において提示事項を記録するとともに、提示事項の提示時間を設定することができ、該提示時間に達した場合、端末は、ベル音又は振動の方式で該提示事項の提示を行う。
【発明の概要】
【発明が解決しようとする課題】
【０００５】
発明者は、本発明を実現する過程において、関連技術に少なくとも以下の欠陥が存在していると発見した。提示時間だけによって事項提示を行う場合に、一定の局限性を有する。例えば、設定された提示事項は朝８時に新聞を買うことであるが、朝８時に該事項提示を行う場合、ユーザは、新聞を買う位置から遠く離れることがあるので、このような提示は一定の局限性を有する。
【課題を解決するための手段】
【０００６】
関連技術において提示時間だけによって事項提示を行う場合に、一定の局限性を有するという問題を解決するために、本発明は、以下のような事項内容表示方法、装置、プログラム、及び記録媒体を提供する。
【０００７】
本発明の実施例の第１の形態によれば、
端末のスクリーンロックインタフェースを表示する場合、前記端末の現在の地理的位置を取得するステップと、
前記現在の地理的位置が提示事項の表示範囲内にあるか否かを検出するステップと、
前記現在の地理的位置が前記提示事項の表示範囲内にあれば、前記スクリーンロックインタフェースに前記提示事項の事項内容を表示するステップと、を含む事項内容表示方法を提供する。
【０００８】
好ましくは、前記方法は、
前記提示事項を設定する場合、前記端末の地理的位置を取得するステップと、
設定され前記地理的位置を含む設定範囲を取得するステップと、
前記設定範囲を前記提示事項の前記表示範囲として確定するステップと、をさらに含む。
【０００９】
好ましくは、前記方法は、
前記提示事項を設定する場合、前記表示範囲に対応する提示範囲を設定する場合に入力された距離を受信して、前記提示範囲を取得するステップと、
前記提示範囲を前記提示事項に付加するステップと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい。
【００１０】
好ましくは、前記方法は、
前記現在の地理的位置が前記提示事項の表示範囲内になければ、前記現在の地理的位置が前記提示事項の前記提示範囲内にあるか否かを検出するステップと、
前記現在の地理的位置が前記提示事項の前記提示範囲内にあると検出した場合、所定の提示方式で前記提示事項を提示するステップと、をさらに含む。
【００１１】
好ましくは、前記所定の提示方式で前記提示事項を提示するステップは、
前記端末の環境光線強度を取得するステップと、
前記環境光線強度が所定の光線閾値よりも大きければ、前記端末のスクリーンをオンにし、前記スクリーンに前記提示事項における提示内容を提示する提示ボックスがポップアップするステップと、
前記環境光線強度が前記所定の光線閾値よりも小さければ、振動の方式又はベル音の方式で前記提示事項を提示するステップと、を含む。
【００１２】
好ましくは、前記方法は、
前記所定の提示方式で前記提示事項を提示した後、前記提示事項の前記提示範囲内の提示属性を、再度提示しないように補正するステップをさらに含む。
【００１３】
好ましくは、前記提示事項にはさらに提示期間が設定され、前記提示事項の事項内容を表示するステップは、
現在の時刻が前記提示期間内にあれば、前記提示事項の事項内容を表示するステップを含む。
【００１４】
本発明の実施例の第２の形態によれば、
端末のスクリーンロックインタフェースを表示する場合、前記端末の現在の地理的位置を取得するように構成される第１の取得モジュールと、
前記第１の取得モジュールで取得された前記現在の地理的位置が提示事項の表示範囲内にあるか否かを検出するように構成される第１の検出モジュールと、
前記第１の検出モジュールで前記現在の地理的位置が前記提示事項の表示範囲内にあると検出された場合、前記スクリーンロックインタフェースに前記提示事項の事項内容を表示するように構成される表示モジュールと、を含む事項内容表示装置を提供する。
【００１５】
好ましくは、前記装置は、
前記提示事項を設定する場合、前記端末の地理的位置を取得するように構成される第２の取得モジュールと、
設定され前記第２の取得モジュールで取得された前記地理的位置を含む設定範囲を取得するように構成される第３の取得モジュールと、
前記第３の取得モジュールで取得された前記設定範囲を前記提示事項の前記表示範囲として確定するように構成される確定モジュールと、をさらに含む。
【００１６】
好ましくは、前記装置は、
前記提示事項を設定する場合、前記表示範囲に対応する提示範囲を設定する場合に入力された距離を受信して、前記提示範囲を取得するように構成される受信モジュールと、
前記提示範囲を前記提示事項に付加するように構成される付加モジュールと、をさらに含み、
前記提示範囲の中心が前記表示範囲の中心と同一で、前記提示範囲が前記表示範囲よりも大きく、前記表示範囲の中心点から発したいずれか一本の半直線の前記提示範囲のエッジ形状上の交点と前記表示範囲のエッジ形状上の交点との間の距離が受信された前記距離に等しい。
【００１７】
好ましくは、前記装置は、
前記第１の検出モジュールで前記第１の取得モジュールで取得された前記現在の地理的位置が前記提示事項の表示範囲内にないと検出された場合、前記現在の地理的位置が前記提示事項の前記提示範囲内にあるか否かを検出するように構成される第２の検出モジュールと、
前記第２の検出モジュールで前記現在の地理的位置が前記提示事項の前記提示範囲内にあると検出された場合、所定の提示方式で前記提示事項を提示するように構成される提示モジュールと、をさらに含む。
【００１８】
好ましくは、前記提示モジュールは、
前記端末の環境光線強度を取得するように構成される取得サブモジュールと、
前記取得サブモジュールで取得された前記環境光線強度が所定の光線閾値よりも大きければ、前記端末のスクリーンをオンにし、前記スクリーンに前記提示事項における提示内容を提示する提示ボックスがポップアップするように構成されるポップアップサブモジュールと、
前記取得サブモジュールで取得された前記環境光線強度が前記所定の光線閾値よりも小さければ、振動の方式又はベル音の方式で前記提示事項を提示するように構成される提示サブモジュールと、を含む。
【００１９】
好ましくは、前記装置は、
前記提示モジュールが前記所定の提示方式で前記提示事項を提示した後、前記提示事項の前記提示範囲内の提示属性を、再度提示しないように補正するように構成される補正モジュールをさらに含む。
【００２０】
好ましくは、前記提示事項にはさらに提示期間が設定され、前記表示モジュールは、さらに、
現在の時刻が前記提示期間内にあれば、前記提示事項の事項内容を表示するように構成される。
【００２１】
本発明の実施例の第３の形態によれば、
プロセッサと、
前記プロセッサが実行可能な命令を記憶するメモリと、を含み、
前記プロセッサは、
端末のスクリーンロックインタフェースを表示する場合、前記端末の現在の地理的位置を取得し、
前記現在の地理的位置が提示事項の表示範囲内にあるか否かを検出し、
前記現在の地理的位置が前記提示事項の表示範囲内にあれば、前記スクリーンロックインタフェースに前記提示事項の事項内容を表示する、ように構成される事項内容表示装置を提供する。
【００２２】
本発明の実施例の第４の形態によれば、
プロセッサに実行されることにより、前記の事項内容表示方法を実現することを特徴とするプログラムを提供する。
【００２３】
本発明の実施例の第５の形態によれば、
前記のプログラムが記録された記録媒体を提供する。
【００２４】
本発明の実施例により提供される技術手段は、以下の有益な効果を含むことができる。
【００２５】
端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００２６】
以上の一般的な説明及び後述の詳細な説明は、例示的なものに過ぎず、本発明を限定するものではないことを理解すべきである。
【図面の簡単な説明】
【００２７】
ここで、図面は明細書に組み込んで本明細書の一部とし、本発明に合致する実施例を示すとともに、明細書とともに本発明の原理を説明する。
【図１】一つの例示的実施例に示される事項内容表示方法のフローチャートである。
【図２Ａ】他の例示的実施例に示される事項内容表示方法のフローチャートである。
【図２Ｂ】一つの例示的実施例に示されるスクリーンロック情報における提示事項の設定インタフェースの概略図である。
【図２Ｃ】一つの例示的実施例に示される提示範囲を設定する概略図である。
【図２Ｄ】一つの例示的実施例に示されるスクリーンロックインタフェースに提示内容を表示する概略図である。
【図２Ｅ】他の例示的実施例に示されるスクリーンロックインタフェースに提示内容を表示する概略図である。
【図３】一つの例示的実施例に示される事項内容表示装置のブロック図である。
【図４】他の例示的実施例に示される事項内容表示装置のブロック図である。
【図５】一つの例示的実施例に示される事項内容表示装置のブロック図である。
【発明を実施するための形態】
【００２８】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２９】
図１は、一つの例示的実施例に示される事項内容表示方法のフローチャートであり、図１に示すように、該事項内容表示方法は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示方法は以下のステップを含む。
【００３０】
ステップ１０１では、端末のスクリーンロックインタフェースを表示する場合、端末の現在の地理的位置を取得する。
【００３１】
スクリーンロックインタフェースは、スクリーンがオンにされたがスクリーンロック状態にある場合に表示されるインタフェースであり、スクリーンロックインタフェースには、端末は、ロックを解除した後にのみ、端末のメインインタフェースに入ることができる。
【００３２】
ステップ１０２では、現在の地理的位置が提示事項の表示範囲内にあるか否かを検出する。
【００３３】
提示事項の表示範囲は、該提示事項の表示内容を表示する位置を限定し、即ち、端末は、提示事項の設定された表示範囲内にある場合にのみ、スクリーンロックインタフェースに該提示事項の事項内容を表示することができる。
【００３４】
ステップ１０３では、現在の地理的位置が提示事項の表示範囲内にあれば、スクリーンロックインタフェースに提示事項の事項内容を表示する。
【００３５】
以上をまとめると、本発明の実施例に係る事項内容表示方法は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００３６】
図２Ａは、他の例示的実施例に示される事項内容表示方法のフローチャートであり、図２Ａに示すように、該事項内容表示方法は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示方法は以下のステップを含む。
【００３７】
ステップ２０１では、提示事項を設定する場合、端末の地理的位置を取得する。
【００３８】
通常、端末にはスクリーンロック機能が設定され、スクリーンがオンにされた後、スクリーンにスクリーンロックインタフェースを表示することができる。スクリーンロックインタフェースは、スクリーンがオンにされたがスクリーンロック状態にある場合に表示されるインタフェースであり、スクリーンロックインタフェースには、端末は、ロックを解除した後にのみ端末のメインインタフェースに入ることができる。
【００３９】
実際の利用の場合に、ユーザは頻繁にスクリーンロックインタフェースを見ることがあり、例えば、端末が待機した後、ユーザは端末で時間を見ようとする場合、端末の電源キーを押すことができ、この場合に端末のスクリーンがオンにされてスクリーンロックインタフェースを表示することができるため、スクリーンロックインタフェースはユーザにより見られる頻度が高く、スクリーンロックインタフェースを用いて事項の提示を行えば、提示の頻度を大きく高め、ユーザは提示回数が少ないため重要な事項を取り逃がすことを避ける。
【００４０】
そのため、本実施例では、スクリーンロックインタフェースを用いて事項提示を行うことができる。提示事項を設定する場合、スクリーンロック機能インタフェースにスクリーンロック情報の設定及び提示メニュー項目を設定して、ユーザは、該メニュー項目に対応する設定手段においてスクリーンロック情報及び提示事項をカスタマイズすることができる。
【００４１】
設定された提示事項の提示時にユーザが提示内容を実施することを有効に保証するために、提示事項を設定する場合、提示内容のために一つの地理的位置範囲を設定することができ、該地理的位置範囲は、通常、ユーザが提示内容を実施する位置に近く、例えば、設定された提示事項は、ユーザの家のドアの箇所（即ち設定された一つの範囲）で、ユーザが鍵を取る（設定された提示内容）ように提示することであり、ユーザは出かける場合に、通常、屋内又は家のドアの近傍に鍵を取るため、ユーザが鍵を取る動作を実施する場合の位置がユーザのドアの位置に比較的に近くなることにより、ユーザが比較的に近い距離で対応する事項を完了するように提示し、ユーザの使用体験を向上させる。
【００４２】
そのため、提示事項における範囲を設定する場合、まず端末が所在する地理的位置を取得することができる。好ましくは、端末が所在する地理的位置は、端末に設置されたＧＰＳ（Ｇｌｏｂａｌ  Ｐｏｓｉｔｉｏｎｉｎｇ  Ｓｙｓｔｅｍ：全地球測位システム）で取得することができる。
【００４３】
実際の利用では、ユーザは、端末のスクリーンロック設定において、「カスタマイズスクリーンロック情報」のメニュー項目をクリックし、端末が、対応する「スクリーンロック情報の設定及び提示手段」の設定インタフェースに入り、該設定インタフェースにおいて、提示事項を設定する入力ボックスを表示して、ユーザがカスタマイズ化の提示内容を入力するように提示することができる。同時に、端末のＧＰＳシステムをオンにして、ＧＰＳで取得された地図インタフェースを表示されたインタフェースにロードする。
【００４４】
図２Ｂは、一つの例示的実施例に示されるスクリーンロック情報における提示事項の設定インタフェースの概略図であり、図２Ｂに示すように、該設定インタフェース２０には、端末の地理的位置２１を含む地図を表示し、地図には、端末の地理的位置２１を顕著に表記し、それに対応して、該設定インタフェース２０に提示事項を設定する場合、ユーザは、提示内容入力ボックス２２にカスタマイズされた提示内容を入力することができる。
【００４５】
ステップ２０２では、設定され地理的位置を含む設定範囲を取得する。
【００４６】
通常、提示事項のために設定された提示用の範囲は、端末の地理的位置を含むことができる。
【００４７】
同様に図２Ｂに示すように、ユーザは範囲表記設定コントロール２３をクリックした後、該地理的位置２１の周囲に一つの閉鎖領域２４を画定することができ、該閉鎖領域２４は、該提示事項の表示範囲２４である。該閉鎖領域２４は、通常、該地理的位置２１を含み、即ち、表示範囲２４は、端末の地理的位置２１を含む。
【００４８】
補充説明すべきことは、該表示範囲のエッジで形成された形状は、円形、楕円形、矩形、三角形又は多辺形であり、本実施例では、表示範囲のエッジで形成された形状は具体的に限定されない。
【００４９】
ステップ２０３では、設定範囲を提示事項の表示範囲として確定する。
【００５０】
提示事項を設定する場合に画定された設定範囲を該提示事項の表示範囲として確定する。
【００５１】
ステップ２０４では、提示事項を設定する場合、表示範囲に対応する提示範囲を設定する場合に入力された距離を受信して、提示範囲を取得する。
【００５２】
実際の利用では、端末が表示範囲内にあれば、ユーザは、ずっと端末のスクリーンロックインタフェースを見ない場合があり、この場合、該表示範囲に対応する提示事項はずっと表示することができず、ユーザもずっと該提示事項を知ることができず、ユーザが該提示事項を取り逃がすことを避けるために、該提示事項に一つの提示範囲を設定することができ、端末が表示範囲外であって該提示範囲内にあれば、該提示事項を直接提示する。
【００５３】
好ましくは、提示事項を設定する場合、現在設定された表示範囲によって設定を行い、例えば、元の表示範囲からＮメートル離れて形成された範囲を提示範囲とすることができる。即ち、提示範囲の中心は表示範囲の中心と同一になることができ、提示範囲は表示範囲よりも大きくなることができ、表示範囲の中心点から発したいずれか一本の半直線の提示範囲のエッジ形状上の交点と表示範囲のエッジ形状上の交点との間の距離が受信された距離に等しい。即ち、提示範囲のエッジで形成された図形と表示範囲のエッジで形成された図形は、同心図形である。
【００５４】
例としては、表示範囲のエッジで形成された図形が円形である場合、提示範囲のエッジで形成された図形も円形であり、表示範囲のエッジで形成された円形と提示範囲のエッジで形成された円形は同心円であり、かつ表示範囲のエッジで形成された円形は、提示範囲のエッジで形成された円形よりも小さい。
【００５５】
さらに例としては、表示範囲のエッジで形成された図形が矩形である場合、提示範囲のエッジで形成された図形も矩形であり、表示範囲のエッジで形成された矩形と提示範囲のエッジで形成された矩形は同心矩形であり、かつ表示範囲のエッジで形成された矩形は、提示範囲のエッジで形成された矩形よりも小さい。
【００５６】
図２Ｃは、一つの例示的実施例に示される提示範囲を設定する概略図であり、図２Ｃに示すように、表示範囲２４が設定された場合、提示範囲の設定箇所で、表示範囲２４に対応する提示範囲２５を設定する場合に入力された距離を設定し、例えば図２Ｃに設定された５０メートルを設定して、該表示範囲２４に対応する提示範囲２５を取得することができ、図２Ｃにおける表示範囲２４と提示範囲２５は同心円であり、かつ提示範囲２５は表示範囲２４よりも大きく、提示範囲２５の半径は、表示範囲２４の半径よりも５０メートル大きくなる。
【００５７】
ステップ２０５では、提示範囲を提示事項に付加する。
【００５８】
設定された提示範囲を提示事項に付加し、これまで、該提示事項には、提示内容、表示範囲及び提示範囲が含まれている。
【００５９】
ステップ２０６では、端末のスクリーンロックインタフェースを表示する場合、端末の現在の地理的位置を取得する。
【００６０】
端末のスクリーンロックインタフェースを表示する場合、例えば、端末スクリーンがオフにされた状態で、端末の電源キーを押して、端末のスクリーンをオンにするとともに、オンにしたスクリーンにスクリーンロックインタフェースを表示し、この場合、該スクリーンロックインタフェースには対応する提示事項を表示するか否かを確定するために、まず端末の現在の地理的位置を取得する。
【００６１】
好ましくは、端末が現在の地理的位置を取得する場合、端末に設置されたＧＰＳで取得することができる。
【００６２】
ステップ２０７では、現在の地理的位置が提示事項の表示範囲内にあるか否かを検出する。
【００６３】
実際の利用では、実際の状況に応じて、表示範囲が対応して設定された複数の提示事項を設定し、利用時に、端末の現在の地理的位置を取得した後、該現在の地理的位置がある又は何らかの提示事項の表示範囲内にあるか否かを検出する。
【００６４】
ステップ２０８では、現在の地理的位置が提示事項の表示範囲内にあれば、スクリーンロックインタフェースに提示事項の事項内容を表示する。
【００６５】
現在の地理的位置がある提示事項の表示範囲内にあれば、表示すべきスクリーンロックインタフェースに該提示事項の事項内容を表示し、このようにすれば、ユーザは該スクリーンロックインタフェースを見る場合、対応する提示内容を知ることにより、関係事項を実施することができる。
【００６６】
例としては、図２Ｄは、一つの例示的実施例に示されるスクリーンロックインタフェースに提示内容を表示する概略図であり、図２Ｄに示すように、該スクリーンロックインタフェース２６には提示内容「鍵を忘れずにお持ちください」が表示されている。
【００６７】
好ましくは、スクリーンロックインタフェースに提示事項の事項内容を表示する場合、ユーザに第１のオプション及び第２のオプションを提供してもよく、第１のオプションが選択された後、端末のスクリーンロックインタフェースを再度表示する場合に該提示事項の事項内容を再度表示することを示し、第２のオプションが選択された後、端末のスクリーンロックインタフェースを再度表示する場合に該提示事項の事項内容を再度表示しないことを示す。
【００６８】
例としては、図２Ｅは、他の例示的実施例に示されるスクリーンロックインタフェースに提示内容を表示する概略図であり、図２Ｅに示すように、該スクリーンロックインタフェース２６に提示内容「鍵を忘れずにお持ちください」が表示されるとともに、ユーザが選択可能な第１のオプション２７と第２のオプション２８が表示され、第１のオプション２７が選択された後、スクリーンロックインタフェース２６を再度表示する場合に該提示事項の事項内容「鍵を忘れずにお持ちください」を再度表示することを示し、第２のオプション２８が選択された後、スクリーンロックインタフェース２６を再度表示する場合に該提示事項の事項内容「鍵を忘れずにお持ちください」を再度表示しないことを示す。また、該提示内容には、第３のオプション２９が設定されてもよく、該第３のオプションが選択された後、スクリーンロックインタフェース２６を再度表示する場合の提示設定を無視し、スクリーンロックインタフェース２６を再度表示する場合に依然として該提示事項の事項内容「鍵を忘れずにお持ちください」を再度表示することを示すと黙認する。好ましくは、第１のオプション２７、第２のオプション２８及び第３のオプション２９は、スクリーンロックインタフェース２６にカバーして表示されユーザがスクリーンロック状態に選択可能なコントロールであることができる。
【００６９】
補充説明すべきことは、ユーザがスクリーンロックインタフェースの設定メニュー項目に提示事項を設定する場合、スクリーンロックインタフェースでの提示方式を選択することができ、即ち提示事項の提示内容のみを表示する提示方式を選択してもよく、提示事項の提示内容及び第１のオプション、第２のオプションと第３のオプションを同時に表示する提示方式を選択してもよく、本実施例では、これについて具体的に限定されない。
【００７０】
ステップ２０９では、現在の地理的位置が提示事項の表示範囲内になければ、現在の地理的位置が提示事項の提示範囲内にあるか否かを検出する。
【００７１】
現在の地理的位置が提示事項の表示範囲内になければ、ユーザが該提示事項の提示内容を見ないことを避けるために、現在の地理的位置が提示事項の提示範囲内にあるか否かを引き続き検出することができる。
【００７２】
ステップ２１０では、現在の地理的位置が提示事項の提示範囲内にあると検出した場合、所定の提示方式で提示事項を提示する。
【００７３】
現在の地理的位置が提示事項の提示範囲内にあると検出した場合、所定の提示方式で提示事項を提示することができる。
【００７４】
好ましくは、現在の地理的位置が提示事項の提示範囲内にあると検出し、かつ提示範囲に対応する表示範囲内に提示事項が表示されていない場合、所定の提示方式で提示事項を提示することができる。即ち、ユーザが携帯している端末がある提示事項の表示範囲にある期間にスクリーンロックインタフェースを見なければ、この場合にユーザはスクリーンロックインタフェースに該提示事項に関する提示内容を見たことがなく、ユーザが該表示範囲から離れて該提示事項の提示範囲内（提示範囲内の表示範囲と重なり合わない領域）に到達する場合、ユーザが該提示事項を知ることができることを保証するために、所定の提示方式で提示事項を提示することができる。
【００７５】
好ましくは、端末が所定の提示方式で提示事項を提示することは、
第１、端末の環境光線強度を取得することと、
第２、環境光線強度が所定の光線閾値よりも大きければ、端末のスクリーンをオンにして、スクリーンに提示事項における提示内容を提示する提示ボックスがポップアップすることと、
第３、環境光線強度が所定の光線閾値よりも小さければ、振動の方式又はベル音の方式で提示事項を提示することと、を含む。
【００７６】
実際の利用では、ユーザが端末をポケット内又はバッグ内に置く場合、スクリーンが明るくなって該提示事項の提示内容を表示したとしても、ユーザは、通常、該提示内容を直接的に見るか又は知ることができないため、端末の環境光線強度で端末が所在する環境を区分するとともに、端末が所在する環境によって、異なる提示方式を選択して提示事項の提示内容を提示することができる。例えば、環境光線強度が所定の光線閾値よりも大きい場合、端末はユーザが直接的に見ることができる箇所にあり、バッグ内又はポケット内にないことを示し、この場合、端末のスクリーンをオンにして、スクリーンに提示事項における提示内容を提示する提示ボックスがポップアップすることができ、明らかに、スクリーンに提示事項における提示内容を直接表示してもよく、環境光線強度が該所定の光線閾値よりも小さい場合、端末がバッグ内又はポケット内にある可能性が大きいことを示し、この場合、振動の方式又はベル音の方式で提示事項を提示することにより、ユーザが有効で即時に提示事項を見ることを保証することができる。
【００７７】
以上をまとめると、本発明の実施例に係る事項内容表示方法は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００７８】
本発明の実施例に係る事項内容表示方法は、提示事項のために表示範囲と提示範囲を同時に設定し、端末が表示範囲外であって提示範囲内にあれば、提示を行うことにより、ユーザが表示範囲内にスクリーンロックインタフェースを見ないため提示事項を取り逃がす状況を有効に避けることができる。
【００７９】
本発明の実施例に係る事項内容表示方法は、端末の環境光線強度が所定の光線閾値よりも大きい場合、端末のスクリーンをオンにして、スクリーンに提示事項における提示内容を提示する提示ボックスがポップアップし、端末の環境光線強度が所定の光線閾値よりも小さい場合、振動の方式又はベル音の方式で提示事項を提示することにより、ユーザが端末をポケット内又はバッグ内に置く場合、表示された提示事項をユーザに有効に提示できないという問題を解決し、端末がポケット内又はバッグ内に置かれた場合にもユーザに関係提示事項を有効に提示できることを有効に保証できるという効果を達成することができる。
【００８０】
他の実現可能な形態では、ステップ２１０では所定の提示方式で提示事項を提示した後、提示事項の提示範囲内の提示属性を、再度提示しないように補正してもよい。即ち、提示範囲内にユーザに提示していれば、該提示範囲内に該提示事項を再度提示しない。一つの実現場面では、ユーザが設定した提示事項の表示範囲はユーザの屋内で、提示範囲は該ユーザの家が所在する団地であれば、ユーザが屋内に該提示事項を見ず、該ユーザが家から離れて提示範囲内（団地内であってユーザの家でない地域）に入る場合、提示を一回行い、通常、このような場合に、ユーザがすでに家から離れ、該提示事項が屋内の位置に係れば、一回のみ提示すればよく、それは、ユーザは屋内に返して該提示事項を実施する必要がない可能性があるからであり、この場合に頻繁な提示によりユーザを邪魔することを避けるために、提示事項の提示範囲内の提示属性を、再度提示しないように補正することができ、このようにすれば、端末が依然として提示範囲内にあるが、該提示事項を引き続き提示しない。しかし、ユーザが屋内にあり、かつ該提示事項が屋内の位置に係れば、この場合、頻繁に提示することにより、ユーザが屋内に該提示事項を実施することを取り逃がすという状況を避けることができる。
【００８１】
本発明の実施例に係る事項内容表示方法は、所定の提示方式で提示事項を提示した後、提示事項の提示範囲内の提示属性を、再度提示しないように補正してもよく、これにより、端末が表示範囲外であって提示範囲内にある場合にユーザに対する頻繁な提示によりユーザを邪魔することを避けることができる。
【００８２】
他の実現可能な形態では、提示事項には提示期間が設定されてもよく、端末が提示事項の事項内容を表示することは、現在の時刻が提示期間内にあれば、提示事項の事項内容を表示することを含んでもよい。例えば、端末が提示事項の事項内容を表示する場合、まず該提示事項の提示期間を取得し、現在の時刻が該提示期間内にあるか否かを検出することができ、現在の時刻が提示期間内にあれば、提示事項の事項内容を表示する。
【００８３】
提示事項を設定する場合、設定インタフェースは、提示期間を設定する設定インタフェースを提供することができ、同様に図２Ｂに示すように、図２Ｂでは、提示期間を設定するインタフェース２１００を表示し、ユーザは、該インタフェース２１００に該提示事項に対応する提示期間を設定することができる。
【００８４】
本発明の実施例に係る事項内容表示方法は、提示事項に提示期間を設定し、提示期間と表示範囲がいずれも提示事項の設定に合致する場合にのみ、スクリーンロックインタフェースに提示事項の事項内容を表示することにより、非提示期間内にもユーザに頻繁に提示することによる邪魔を避け、提示の正確度を高めるという効果がある。
【００８５】
以下、本発明の装置の実施例であって、本発明の方法を実行する実施例である。本発明の装置の実施例で開示しない詳細については、本発明の方法の実施例を参照する。
【００８６】
図３は、一つの例示的実施例に示される事項内容表示装置のブロック図であり、図３に示すように、該事項内容表示装置は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示装置は、第１の取得モジュール３０２、第１の検出モジュール３０４及び表示モジュール３０６を含むが、これらに限られない。
【００８７】
該第１の取得モジュール３０２は、端末のスクリーンロックインタフェースを表示する場合、端末の現在の地理的位置を取得するように構成される。
【００８８】
該第１の検出モジュール３０４は、第１の取得モジュール３０２で取得された現在の地理的位置が提示事項の表示範囲内にあるか否かを検出するように構成される。
【００８９】
該表示モジュール３０６は、第１の検出モジュール３０４が現在の地理的位置が提示事項の表示範囲内にあると検出した場合、スクリーンロックインタフェースに提示事項の事項内容を表示するように構成される。
【００９０】
以上をまとめると、本発明の実施例に係る事項内容表示装置は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【００９１】
図４は、他の例示的実施例に示される事項内容表示装置のブロック図であり、図４に示すように、該事項内容表示装置は端末に適用され、ここでいう端末は、スマートフォン、タブレットＰＣ、スマートテレビ、電子ブックリーダー、マルチメディアプレーヤ、ノートブック型パソコン及びデスクトップコンピュータ等であり、該事項内容表示装置は、第１の取得モジュール４０２、第１の検出モジュール４０４及び表示モジュール４０６を含むが、これらに限られない。
【００９２】
該第１の取得モジュール４０２は、端末のスクリーンロックインタフェースを表示する場合、端末の現在の地理的位置を取得するように構成される。
【００９３】
該第１の検出モジュール４０４は、第１の取得モジュール４０２で取得された現在の地理的位置が提示事項の表示範囲内にあるか否かを検出するように構成される。
【００９４】
該表示モジュール４０６は、第１の検出モジュール４０４現在の地理的位置が提示事項の表示範囲内にあると検出した場合、スクリーンロックインタフェースに提示事項の事項内容を表示するように構成される。
【００９５】
一つの実現可能な形態では、該事項内容表示装置は、第２の取得モジュール４０８、第３の取得モジュール４１０及び確定モジュール４１２を含んでもよい。
【００９６】
第２の取得モジュール４０８は、提示事項を設定する場合、端末の地理的位置を取得するように構成される。
【００９７】
第３の取得モジュール４１０は、設定され第２の取得モジュール４０８で取得された地理的位置を含む設定範囲を取得するように構成される。
【００９８】
確定モジュール４１２は、第３の取得モジュール４１０で取得された設定範囲を提示事項の表示範囲として確定するように構成される。
【００９９】
一つの実現可能な形態では、該事項内容表示装置は、受信モジュール４１４及び付加モジュール４１６を含んでもよい。
【０１００】
受信モジュール４１４は、提示事項を設定する場合、表示範囲に対応する提示範囲を設定する場合に入力された距離を受信して、提示範囲を取得するように配置され、提示範囲の中心が表示範囲の中心と同一で、提示範囲が表示範囲よりも大きく、表示範囲の中心点から発したいずれか一本の半直線の提示範囲のエッジ形状上の交点と表示範囲のエッジ形状上の交点との間の距離が受信された距離に等しい。
【０１０１】
付加モジュール４１６は、提示範囲を提示事項に付加するように構成される。
一つの実現可能な形態では、該事項内容表示装置は、第２の検出モジュール４１８及び提示モジュール４２０を含んでもよい。
【０１０２】
第２の検出モジュール４１８は、第１の検出モジュール４０４が第１の取得モジュール４０２で取得された現在の地理的位置が提示事項の表示範囲内にないと検出した場合、現在の地理的位置が提示事項の提示範囲内にあるか否かを検出するように構成される。
【０１０３】
提示モジュール４２０は、第２の検出モジュール４１８が現在の地理的位置が提示事項の提示範囲内にあると検出した場合、所定の提示方式で提示事項を提示するように構成される。
【０１０４】
一つの実現可能な形態では、該提示モジュール４２０は、取得サブモジュール４２０ａ、ポップアップサブモジュール４２０ｂ及び提示サブモジュール４２０ｃを含むことができる。
【０１０５】
取得サブモジュール４２０ａは、端末の環境光線強度を取得するように構成される。
【０１０６】
ポップアップサブモジュール４２０ｂは、取得サブモジュール４２０ａで取得された環境光線強度が所定の光線閾値よりも大きい場合、端末のスクリーンをオンにして、スクリーンに提示事項における提示内容を提示する提示ボックスがポップアップするように構成される。
【０１０７】
提示サブモジュール４２０ｃは、取得サブモジュール４２０ａで取得された環境光線強度が所定の光線閾値よりも小さければ、振動の方式又はベル音の方式で提示事項を提示するように構成される。
【０１０８】
一つの実現可能な形態では、該事項内容表示装置は、補正モジュール４２２を含んでもよい。
【０１０９】
補正モジュール４２２は、提示モジュール４２０が所定の提示方式で提示事項を提示した後、提示事項の提示範囲内の提示属性を、再度提示しないように補正するように構成される。
【０１１０】
一つの実現可能な形態では、該提示事項には提示期間が設定され、表示モジュール４０６は、さらに、現在の時刻が提示期間内にあれば、提示事項の事項内容を表示するように構成される。
【０１１１】
以上をまとめると、本発明の実施例に係る事項内容表示装置は、端末のスクリーンロックインタフェースを表示する場合、端末の現在のアドレス位置がある提示事項の表示範囲内にあれば、該スクリーンロックインタフェースに該提示事項の事項内容を表示し、端末が提示事項に設定された表示範囲内にある場合、端末のスクリーンロックインタフェースを表示する場合に提示事項の事項内容を表示することができるため、関連技術において提示時間だけによって事項提示を行う場合に一定の局限性を有するという問題を解決し、設定された表示範囲内に有効に提示を行うとともに、提示頻度を高めるという効果を達成することができる。
【０１１２】
本発明の実施例に係る事項内容表示装置は、提示事項のために表示範囲と提示範囲を同時に設定し、端末が表示範囲外であって提示範囲内にあれば、提示を行うことにより、ユーザが表示範囲内にスクリーンロックインタフェースを見ないため提示事項を取り逃がす状況を有効に避けることができる。
【０１１３】
本発明の実施例に係る事項内容表示装置は、端末の環境光線強度が所定の光線閾値よりも大きい場合、端末のスクリーンをオンにして、スクリーンに提示事項における提示内容を提示する提示ボックスがポップアップし、端末の環境光線強度が所定の光線閾値よりも小さい場合、振動の方式又はベル音の方式で提示事項を提示することにより、ユーザが端末をポケット内又はバッグ内に置く場合、表示された提示事項をユーザに有効に提示できないという問題を解決し、端末がポケット内又はバッグ内に置かれた場合にもユーザに関係提示事項を有効に提示できることを有効に保証できるという効果を達成することができる。
【０１１４】
本発明の実施例に係る事項内容表示装置は、所定の提示方式で提示事項を提示した後、提示事項の提示範囲内の提示属性を、再度提示しないように補正してもよく、これにより、端末が表示範囲外であって提示範囲内にある場合にユーザに対する頻繁な提示によりユーザを邪魔することを避けることができる。
【０１１５】
本発明の実施例に係る事項内容表示装置は、提示事項に提示期間を設定し、提示期間と表示範囲がいずれも提示事項の設定に合致する場合にのみ、スクリーンロックインタフェースに提示事項の事項内容を表示することにより、非提示期間内にもユーザに頻繁に提示することによる邪魔を避け、提示の正確度を高めるという効果がある。
【０１１６】
上述の実施例に係る装置については、各モジュールが操作を実行する具体的な方式は、すでに該方法に関する実施例において詳しく説明しているので、ここで詳しく説明しない。
【０１１７】
本発明の一つの例示的実施例は、本発明に係る事項内容表示方法を実現できる事項内容表示装置を提供し、該事項内容表示装置は、プロセッサと、プロセッサが実行可能な命令を記憶するメモリとを含み、
プロセッサは、
端末のスクリーンロックインタフェースを表示する場合、端末の現在の地理的位置を取得し、
現在の地理的位置が提示事項の表示範囲内にあるか否かを検出し、
現在の地理的位置が提示事項の表示範囲内にあれば、スクリーンロックインタフェースに提示事項の事項内容を表示する、ように構成される。
【０１１８】
図５は、一つの例示的実施例に示される事項内容表示装置のブロック図である。例えば、装置５００は、携帯電話、コンピュータ、デジタル放送端末、メッセージ送受信機器、ゲームコンソール、タブレットデバイス、医療機器、フィットネス機器、パーソナルデジタルアシスタントなどであってもよい。
【０１１９】
図５に示すように、装置５００は、プロセスアセンブリ５０２、メモリ５０４、電源アセンブリ５０６、マルチメディアアセンブリ５０８、オーディオアセンブリ５１０、入力／出力（Ｉ／Ｏ）インタフェース５１２、センサアセンブリ５１４、および通信アセンブリ５１６のような１つ以上のアセンブリを含んでよい。
【０１２０】
プロセスアセンブリ５０２は、一般的には装置５００全体の操作を制御するものであり、例えば、表示、電話呼び出し、データ通信、カメラ操作、及び記録操作と関連する操作を制御する。プロセスアセンブリ５０２は、１つ以上のプロセッサ５１８を含み、これらによって指令を実行することにより、上記方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【０１２１】
メモリ５０４は、各種類のデータを記憶することにより装置５００の操作を支援するように構成される。これらのデータの例は、装置５００において操作されるいずれのアプリケーションプログラム又は方法の命令、連絡対象データ、電話帳データ、メッセージ、画像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２２】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【０１２３】
マルチメディアアセンブリ５０８は、前記装置５００とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンとして実現されることができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記実施例において、マルチメディアアセンブリ５０８は、一つのフロントカメラ、及び／又はリアカメラを含む。装置５００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２４】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の操作モードにある場合、マイクは外部のオーディオ信号を受信することができる。受信されたオーディオ信号は、さらにメモリ５０４に記憶されたり、通信アセンブリ５１６を介して送信されたりされる。上記実施例において、オーディオアセンブリ５１０は、オーディオ信号を出力するための一つのスピーカーをさらに含む。
【０１２５】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２６】
センサアセンブリ５１４は、装置５００に各方面の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ図像センサのような光センサを含んでもよい。上記実施例において、当該センサアセンブリ５１４は、加速度センサ、ジャイロスコープセンサ、磁気センサ、圧力センサ、及び温度センサをさらに含んでもよい。
【０１２７】
通信アセンブリ５１６は、装置５００と他の機器の間に有線、又は無線形態の通信を提供する。装置５００は、例えばＷｉＦｉ、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２８】
例示的な実施例において、装置５００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２９】
例示的な実施例では、さらに、指令を含むコンピュータ読み取り可能な非一時的な記憶媒体、例えば、指令を含むメモリ５０４を提供しており、装置５００のプロセッサ５１８により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１３０】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１３１】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【国際調査報告】
2017504915.tif 000012
2017504915.tif 000013
2017504915.tif 000014
2017504915.tif 000015